(57)【要約】【課題】ガスコンロにおいて、点火が確実におこなえて点火不良が生じないコンロバーナを搭載して使い勝手が良好で、燃焼性がよくて熱効率が高く省エネが得られること。【解決手段】バーナキャップ４とバーナボディ３でコンロバーナ２を構成し、バーナキャップ４は、上面に凹部８と凸部９を設け凸部９に設けた斜め上向きに噴出して火炎を形成する炎口A８を中心に向かって設けた形状とし、バーナキャップ４の外方で凹部８間に点火炎口部３０を構成する炎口と熱電素子加熱部３６を構成する炎口を設け、点火炎口部の近傍に点火電極を設け、熱電素子加熱部の近傍に熱電素子３１を配設したものである。従って、点火不良のない確実な点火性能を有するとともに、確実な立ち消え検知性能を有したガスコンロ１を提供することができる。【選択図】図１
2007139309.tif 000002
【特許請求の範囲】
【請求項１】
上面に開口を設けた環状頭部を有し供給されるガスと燃焼用空気を混合するバーナボディと、前記バーナボディの環状頭部に着脱自在に取り付け上面に凹部凸部を設けた凸部に一端を他端面より上方に突出させた断面形状を有する炎口Ａを中心側に向かって放射状に配設して主炎口部を形成し前記炎口Ａ間の凹部を前記中心側に比して凹量を大きくして外周側に傾斜させたバーナキャップでガスコンロバーナを構成し、前記バーナキャップの外方に点火電極と立ち消え安全装置の熱電素子を備え、中央にバーナキャップが入る中央孔を有し炎口Ａ側及び下方側に開口Ａ及び開口Ｂを有する空間部を形成したリング状の被覆体の前記中央孔に前記バーナキャップを配置し、前記被覆体の空間部に点火電極を配置し前記点火電極と対向する位置の被覆体に前記空間部に面した部位に放電ターゲットを構成して燃焼部を構成したガスコンロ。
【請求項２】
点火電極に対向したバーナキャップの外周壁で前記バーナキャップの凹部間に一端を他端面より突出させた断面を有する炎口Bと炎口Cを対向させて配置して点火炎口部を構成した請求項１記載のガスコンロ。
【請求項３】
熱電素子に対向した前記バーナキャップの外周壁で前記バーナキャップの凹部間に一端を他端面より突出させた断面を有する炎口Dと炎口Eを対向させて配置した熱電素子加熱部を形成した請求項１及び請求項２記載のガスコンロ。
【請求項４】
点火炎口部を形成する炎口Ｂおよび炎口Ｃ、熱電素子加熱部を形成する炎口D及び炎口Eは、一端を他端面より突出させて形成した炎口面に平面部を設けると共に、バーナキャップの外周壁面に沿って相対向する火炎を形成するようにした請求項１〜請求項３記載のガスコンロ。
【請求項５】
点火炎口部を形成する炎口Ｂと炎口Ｃの間に、炎口Ｂおよび炎口Ｃの噴出方向とは異なる方向に混合ガスを噴出する炎口Fを設け、或いは、熱電素子加熱部を形成する炎口Dと炎口Eの間に、炎口Dおよび炎口Eの噴出方向とは異なる方向に混合ガスを噴出する炎口Gを設け、両炎口F及び炎口Gのどちらかまたは両方設けた請求項１〜請求項４記載のガスコンロ。
【発明の詳細な説明】
【技術分野】
【０００１】
本発明は、ガスコンロに搭載するコンロバーナに関し、特に、点火電極を用いた放電点火構成及び立消え安全装置を用いた燃焼検知構成に関するものである。
【背景技術】
【０００２】
従来この種のガスコンロにおける点火構成としては、図１１に示すように、コンロバーナ５１を有したガスコンロ５０において、コンロバーナ５１はバーナボディ５２上面に円周上に配置した主炎口５３を有し、円周の一部に点火炎口５４配置したバーナキャップ５５を載置して構成し、主炎口５３及び点火炎口５４に燃焼炎５６及び点火炎５７をもって燃焼させて調理加熱をおこなっていた。コンロバーナ５１は、バーナキャップ５５とバーナボディ５２とで点火電極５８を設ける点火空間５９を構成し、点火電極５８に対向したバーナキャップ４５に放電ターゲット６０を構成し、ガスコンロ５０にて点火操作がされると点火電極５８と放電ターゲット６０間で放電する構成としてあり、点火空間５９には点火炎口５４が開口して構成されたガスコンロ５０である（例えば、特許文献１参照）。
【０００３】
また、コンロバーナの構成としては、図１２に示すように、バーナキャップ５５の上面にスリット炎口６１を設け、火炎を上向きに噴き出すことで、熱効率の向上、省エネルギーに対処するコンロバーナ５１を搭載したガスコンロが開発されてきた（例えば、特許文献２参照）。
【０００４】
この特許文献２に記載されたガスコンロにおいては、点火構成に関する記載はないものの、立消え検知構成としては、図１１に示すように、バーナキャップ５５と、バーナボディ５２と勘合して構成する円筒部の下方に位置するガスのシール部６２との間において、円周一部に凹部６３を設け、凹部６３の側面６４に燃焼確認用炎口６５を設けた構成である。燃焼確認用炎口６５の内方に立ち消え安全装置の熱電素子６６を設け、燃焼確認用炎口６５に形成された検知用火炎６７にて熱電素子６６が加熱されて起電力が発生し、起電力の有無で立ち消え安全装置が制御されてコンロバーナ５１の燃焼継続或いは停止ができるようになっている。６８はコンロバーナ５１の中央に設けた二次空気通過孔で構成されている。
【特許文献１】特開２０００―２８３４１５号公報
【特許文献２】特開２００１―２０１０１７号公報
【発明の開示】
【発明が解決しようとする課題】
【０００５】
しかしながら、前記特許文献１の構成では、円周上に主炎口５３が設けられて燃焼炎５６を形成するとともに、同じ円周上に点火炎口５４が設けられて点火炎５７が形成され、共にコンロバーナ５１の外周方向に向かって火炎が形成されて燃焼する。従って、ガスコンロ５０にて調理するために鍋等の被加熱物を加熱する場合、被加熱物の中心部分は燃焼炎５６等が存在しないので加熱されず、被加熱物の外側等が加熱されながら被加熱物の底面外周から側面を加熱しながら高温の燃焼ガスが流れる。このように被加熱物の底面外周に沿って燃焼ガスが流れるため被加熱物等の側面に存在する取っ手等が高温となり、直接手で触ることが困難となり、調理作業面で使い勝手が悪いという課題を有していた。このような取っ手等の温度が高くなり過ぎないようにするために、被加熱物の側面に流れた燃焼ガスの温度を下げて安全なガスコンロ５０を提供するために特許文献２に示すようなコンロバーナ５１が提供された。
【０００６】
コンロバーナ５１を搭載したガスコンロ５０にあっては、被加熱物のより中心に燃焼炎
が形成され加熱されるために被加熱物側面に至った時点での燃焼ガスの温度は被加熱物との間で熱交換しているので低いために被加熱物の取っ手等の温度が低くなることで安全なガスコンロが提供できるものであるが、点火構成に関する開示がなく、また、立消え検知構成では、コンロバーナ５１の中央に設けた二次空気通過孔６８に向けた側面６４に燃焼確認用炎口６５を設けて熱電素子６６を加熱する構成にし、主炎口５３で燃焼が開始すると火炎が円周に沿って斜め上方に流れることにより旋回流が生じた状態で燃焼を継続しているために、火炎６７に供給される火炎周囲の二次空気も同様に旋回流状態を呈して火炎６７に流れ込んでいる。従って、燃焼確認用炎口６５が形成される領域にも空気の旋回流が生じているために、燃焼確認用炎口６５の火炎６７は周辺の旋回流の影響を受けて旋回流に吹き飛ばされることによって、消火するという不具合が生じる課題があった。
【０００７】
また、ガスコンロ５０にて被加熱物に調理物を入れて加熱調理をしている時、被加熱物から煮汁等がこぼれた場合に炎口６５を設けたバーナキャップ５５上にこぼれる。この煮こぼれの案内或いは流れの規制がないので自由に流れることで、炎口６５にも流れるので炎口６５が詰まり炎口６５で燃焼が継続しなくなり被加熱物の加熱が加熱されない状態が生じたり、炎口６５の燃焼負荷が大きくなることで燃焼状態として吹き飛び現象が生じたり、吹き消え現象が生じたりして燃焼が停止したりする使い勝手の悪いコンロが提供されたりする課題があった。
【０００８】
本発明は上記従来の課題を解決すべく、バーナキャップの上面側に全ての炎口を形成したバーナを提案し、鍋底との距離を短くし、かつ、均一に加熱することで熱効率の向上を図ったものであり、特に、バーナキャップの上面側に凹凸を構成して炎口を設けた構成における安定した燃焼、安定した着火性能、安定した立ち消え安全性能を確保するとともに、省エネ・熱効率の向上を図りつつ、製造面で造りやすく、安価なガスコンロを提供することを目的とする。
【課題を解決するための手段】
【０００９】
上記課題を解決するために本発明のガスコンロは、上面に開口を設けた環状頭部を有し供給されるガスと燃焼用空気を混合するバーナボディと、バーナボディの環状頭部に着脱自在に取り付け上面に凹部凸部を設けた凸部に一端を他端面より上方に突出させた断面形状を有する炎口Ａを中心側に向かって放射状に配設して主炎口部を形成し炎口Ａ間の凹部を中心側に比して凹量を大きくして外周側に傾斜させたバーナキャップでガスコンロバーナを構成し、バーナキャップの外方に点火電極と立ち消え安全装置の熱電素子を備えて燃焼部を構成したものである。
【００１０】
上記発明によれば、バーナボディの環状頭部に着脱自在に取り付けられるバーナキャップの上面に凹部凸部を設けた凸部に一端を他端面より上方に突出させた断面形状を有する炎口Ａを中心側に向かって放射状に配設して主炎口部を形成し、炎口Ａ間の凹部を中心側に比して凹量を大きくして外周側に傾斜させたバーナキャップで構成したガスコンロバーナをガスコンロに搭載している。このガスコンロの使用を開始すると、主炎口部にてバーナボディから供給されたガスを燃焼させて被加熱物を加熱している最中に被加熱物内の調理物等の煮汁等が煮こぼれしたりする現象が生じた際に、煮こぼれ汁は被加熱物の側面或いは直接的にバーナキャップの上面に落ちる。この煮こぼれした煮こぼれ汁は、バーナキャップの上面を流れる。この流れは、凸部から凸部に比して底面になる凹部へと流れるので凹部が流れの流路の役目を果たし、凹部がバーナキャップの外周側に傾斜して構成されているのでバーナキャップの外周へと流れる。従って、被加熱物から煮こぼれした煮汁が炎口へ直接的に煮こぼれしない限り炎口が詰まる現象が生じないので、炎口の詰まりによる燃焼時の炎口負荷が大きくなることで生じる燃焼時の燃焼炎の吹き飛び現象、吹き消え現象等が生じないので安定した燃焼状態が維持される。よって、バーナキャップの外方に設けた点火電極部への点火時のガス供給、或いは、同位置に設けた立ち消え安全装置の熱
電素子加熱用の燃焼炎に異常が生じることなく、正常現象が維持される。さらに、凸部に炎口を設けて炎口の両側に凹部を設けて構成したことで凹部が被加熱物等からの煮こぼれに対しての流路となり、煮こぼれ案内の効果をもたらすと同時に外側に傾斜していることで煮こぼれがガスコンロバーナの上面の開口からガスコンロ内への流入するのを防止するので安定した安全な使い勝手の良好なガスコンロが提供できるのである。
【００１１】
また、バーナキャップの上面に形成した放射状の炎口からのガスは斜め上方に速度を有して噴出されるために、旋回流を形成してガスが噴出され、炎口に形成された燃焼炎は旋回燃焼を呈する。従って、旋回燃焼にて被加熱物を加熱すると、燃焼ガスは旋回流によって強制的に攪拌される現象が生じるので乱流状態になる。この乱流状態の燃焼ガスが被加熱物表面を流れるので被加熱物の表面と燃焼ガス間に生じる温度境界層が薄くなることで被加熱物と燃焼ガス間の熱伝達係数が大きくなる。よって、被加熱物に燃焼ガスから伝わる熱量が多くなる。以上のコンロバーナを搭載したガスコンロにあっては、熱効率の高い省エネのガスコンロが提供できるのである。
【００１２】
また、旋回流が生じることで、旋回流の周囲の空気にも旋回流によって誘発された旋回現象が生じているので、燃焼時に燃焼炎と燃焼用二次空気間の拡散係数が大きくなり、燃焼炎に十分な二次空気供給がなされて完全燃焼がえられる。この完全燃焼によって一酸化炭素等が発生しない安全なガスコンロが提供できるのである。
【００１３】
また、バーナキャップの中心に向かって放射状円周等間隔に、一端を他端面より上方に突出させた断面の炎口Ａを設け、その炎口部の両端には平面部を設けて炎口寸法のばらつきを少なくする形状とし、炎口部を含めすべてプレス加工できる構成にしたもので、これにより造りやすく安価なものとなる。
【００１４】
また、主炎口部は火炎が斜め上向きとなることにより、円周方向へ噴き出す力と、排気熱が上方向からさらに鍋底を伝って排出される力により旋回流が生じて、中央の二次空気通過孔よりより多くの二次空気を吸引することができ良好な燃焼が得られる。さらには鍋底とバーナ間を近づけることができ省エネ・熱効率を向上させることができる。
【発明の効果】
【００１５】
本発明のガスコンロは、熱効率を向上させた省エネルギーで煮汁等の煮こぼれに強い、確実な点火性能を有するとともに、立ち消えのない安定した燃焼検知を行うことができ、使い勝手の良いガスコンロを提供することができる。
【発明を実施するための最良の形態】
【００１６】
第１の発明は、上面に開口を設けた環状頭部を有し供給されるガスと燃焼用空気を混合するバーナボディと、バーナボディの環状頭部に着脱自在に取り付け上面に凹部凸部を設けた凸部に一端を他端面より上方に突出させた断面形状を有する炎口Ａを中心側に向かって放射状に配設して主炎口部を形成し炎口Ａ間の凹部を中心側に比して凹量を大きくして外周側に傾斜させたバーナキャップでガスコンロバーナを構成し、バーナキャップの外方に点火電極と立ち消え安全装置の熱電素子を備え中央にバーナキャップが入る中央孔を有し炎口Ａ側及び下方側に開口Ａ及び開口Ｂを有する空間部を形成したリング状の被覆体の前記中央孔にバーナキャップを配置し、被覆体の空間部に点火電極を配置し点火電極と対向する位置の被覆体に空間部に面した部位に放電ターゲットを構成して燃焼部を構成したことを特徴とするものである。
【００１７】
これにより、バーナキャップの上面に形成した放射状の炎口からのガスは斜め上方に速度を有して噴出されるために、旋回流を形成してガスが噴出され、炎口に形成された燃焼炎は旋回燃焼を呈する。従って、旋回燃焼にて被加熱物を加熱すると、燃焼ガスは旋回流
によって強制的に攪拌される現象が生じるので乱流状態になる。この乱流状態の燃焼ガスが被加熱物表面を流れるので被加熱物の表面と燃焼ガス間に生じる温度境界層が薄くなることで被加熱物と燃焼ガス間の熱伝達係数が大きくなる。よって、被加熱物に燃焼ガスから伝わる熱量が多くなる。以上のコンロバーナを搭載したガスコンロにあっては、熱効率の高い省エネのガスコンロが提供できるのである。
【００１８】
また、バーナボディの環状頭部に着脱自在に取り付けられるバーナキャップの上面に凹部凸部を設けた凸部に一端を他端面より上方に突出させた断面形状を有する炎口Ａを中心側に向かって放射状に円周等間隔に配設して主炎口部を形成し、炎口Ａ間の凹部を中心側に比して凹量を大きくして外周側に傾斜させたバーナキャップで構成したガスコンロバーナをガスコンロに搭載していることにより、このガスコンロの使用を開始すると、主炎口部にてバーナボディから供給されたガスを燃焼させて被加熱物を加熱している最中に被加熱物内の調理物等の煮汁等が煮こぼれしたりする現象が生じた際に、煮こぼれ汁は被加熱物の側面或いは直接的にバーナキャップの上面に落ちる。この煮こぼれした煮こぼれ汁は、バーナキャップの上面を流れる。この流れは、凸部から凸部に比して底面になる凹部へと流れるので凹部が流れの流路の役目を果たし、凹部がバーナキャップの外周側に傾斜して構成されているのでバーナキャップの外周へと流れる。従って、被加熱物から煮こぼれした煮汁が炎口へ直接的に煮こぼれしない限り炎口が詰まる現象が生じないので、炎口の詰まりによる燃焼時の炎口負荷が大きくなることで生じる燃焼時の燃焼炎の吹き飛び現象、吹き消え現象等が生じないので安定した燃焼状態が維持される。よって、バーナキャップの外方に設けた点火電極部への点火時のガス供給、或いは、同位置に設けた立ち消え安全装置の熱電素子加熱用の燃焼炎に異常が生じることなく、正常現象が維持される。さらに、凸部に炎口を設けて炎口の両側に凹部を設けて構成したことで凹部が被加熱物等からの煮こぼれに対しての流路となり、煮こぼれ案内の効果をもたらすと同時に外側に傾斜していることで煮こぼれがガスコンロバーナの上面の開口からガスコンロ内への流入するのを防止するので安定した安全な使い勝手の良好なガスコンロが提供できるのである。
【００１９】
また、バーナキャップの外方に一端を炎口A側に開口した開口Ａと他端を炎口の外方の下方に開口した開口Ｂを有する空間部を設けた被覆体を配設し、空間部に点火電極を内包して該空間部に点火電極からの放電ターゲットを形成して点火電極と放電ターゲット間に放電空間部を設けて点火部を構成し、放電空間部に対向するバーナキャップの外周壁には一端を他端面より突出させた断面を有する炎口Bと炎口Cを対向させて配置した点火炎口部を形成したことにより、バーナキャップ上面の炎口から噴出したガスは斜め上方に速度を有して噴出されるため旋回流を呈する。この旋回流の一部はバーナキャップ外方の部分で旋回流によって生じている遠心力にてバーナキャップの外径よりも外側にはみ出して旋回している。さらに、炎口Bと炎口Cから噴出したガスは、放電空間部で衝突して衝突流れとして存在する。従って、バーナキャップの外径よりも外側にはみ出して旋回している旋回流の一部は、バーナキャップの外周壁と被覆体で構成した空間部に流れ込み、衝突流れと共存する。このような旋回流及び衝突流れが生じている状態で点火電極から放電ターゲットに向けて放電すると、放電空間部に旋回流で流れ込んでいるガスと衝突流れで流れ込んでいるガスが存在するので確実に点火されて燃焼を開始する。また、点火電極は空間部を構成した被覆体にて上方を覆われているために、被加熱物等から調理中に煮汁等が飛散したり零れたりしても、濡れたり或いは汚れたりすることがなくなるので、電気的なリークが生じることなく確実に放電するので確実な点火による使い勝手の良いガスコンロが提供できるのである。また、炎口Aを設けたバーナキャップ上面が何らかの原因で変化した場合、例えば、調理物等が付着して凹凸が生じて旋回流が正常に形成されないような状態が生じても、衝突流れが放電空間部に存在するので確実な点火による使い勝手の良いガスコンロが提供できるのである。
【００２０】
第２の発明は、点火電極に対向したバーナキャップの外周壁でバーナキャップの凹部間
に一端を他端面より突出させた断面を有する炎口Bと炎口Cを対向させて配置して点火炎口部を構成したことを特徴とするものである。
【００２１】
これにより、バーナボディの環状頭部に着脱自在に取り付けられるバーナキャップの上面に凹部凸部を設けた凸部に一端を他端面より上方に突出させた断面形状を有する炎口Ａを中心側に向かって放射状に配設して主炎口部を形成し、炎口Ａ間の凹部間に相当するバーナキャップの外周壁に炎口Bと炎口Cで構成した点火炎口部構成したガスコンロバーナをガスコンロに搭載していることにより、このガスコンロの使用を開始すると、主炎口部にてバーナボディから供給されたガスを燃焼させて被加熱物を加熱している最中に被加熱物内の調理物等の煮汁等が煮こぼれしたりする現象が生じた際に、煮こぼれ汁は被加熱物の側面或いは直接的にバーナキャップの上面に落ちる。この煮こぼれした煮こぼれ汁は、バーナキャップの上面を流れる。この流れは、凸部から凸部に比して底面になる凹部へと流れるので凹部が流れの流路の役目を果たし、凹部がバーナキャップの外周側に傾斜して構成されているのでバーナキャップの外周壁方向へと流れ、流路となる凹部間に設けた炎口Bと炎口Cで構成した点火炎口部は流路の延長線上に存在しないので煮こぼれ汁にて詰まることがない。従って、被加熱物から煮こぼれした煮汁が炎口Bと炎口Cへ直接的に煮こぼれしない限り炎口Bと炎口Cが詰まる現象が生じないので、炎口Bと炎口Cの詰まりによって点火時に放電空間部にガスの存在がないことによる点火不良が生じることがない。よって、安定した安全な使い勝手の良好なガスコンロが提供できるのである。
【００２２】
また、炎口Bと炎口Cが詰まる現象が生じないので炎口面積が減少することがないので炎口負荷が大きくなることで生じる燃焼時の燃焼炎の吹き飛び現象、吹き消え現象等が生じないので安定した燃焼状態が維持される。よって、バーナキャップの外方に設けた点火電極部への点火時のガス供給異常が生じることなく、正常現象が維持されるので安定した安全な使い勝手の良好なガスコンロが提供できるのである。
【００２３】
また、上記点火構成により点火されてバーナキャップの上面に旋回状の主火炎を形成する形態のコンロバーナにおいて、バーナキャップの外周壁適所には一端を他端面より突出させた断面を有する炎口Dと炎口Eを対向させて配置した熱電素子加熱部を形成し、バーナボディより供給される混合ガスを噴出して衝突火炎を形成すると共に、炎口Dと炎口Eの略中間部に立ち消え安全装置の熱電素子を配設したことにより、炎口Dからバーナキャップの外周の円周方向にガスが噴出し、炎口Eからは炎口Dから噴出したガスとは反対方向の円周方向に噴出する。従って、炎口Dから噴出したガスと炎口Eから噴出したガスは、炎口Dと炎口E間の略中間部で衝突した流れ状態になる。よって、炎口Dと炎口Eにて燃焼が開始されると燃焼時に形成される火炎は炎口Dと炎口E間に衝突火炎を形成する。
【００２４】
同時に炎口Aにて旋回流を呈して燃焼が継続されてコンロバーナ周辺には二次空気の旋回流が生じているために、衝突火炎も旋回流の中に形成されているために吹き飛ばされるように旋回流が作用するが、炎口Dからのガスが炎口Eからの噴出方向とは逆方向に噴出されているために旋回流に対向した流れで旋回流の力と均衡状態になることで衝突火炎は吹き飛ばされることなく安定した燃焼を継続することで、立ち消え安全装置の熱電素子は安定して衝突火炎で加熱されることとなる。従って、使用中に立ち消えしたりする不具合が生じない使い勝手の良好なコンロが提供できるものである。
【００２５】
第３の発明は、熱電素子に対向したバーナキャップの外周壁でバーナキャップの凹部間に一端を他端面より突出させた断面を有する炎口Dと炎口Eを対向させて配置した熱電素子加熱部を形成したことを特徴とするものである。
【００２６】
これにより、バーナボディの環状頭部に着脱自在に取り付けられるバーナキャップの上面に凹部凸部を設けた凸部に一端を他端面より上方に突出させた断面形状を有する炎口Ａ
を中心側に向かって放射状に配設して主炎口部を形成し、炎口Ａ間の凹部間に相当するバーナキャップの外周壁に炎口Dと炎口Eで構成した熱電素子加熱部構成したガスコンロバーナをガスコンロに搭載していることにより、このガスコンロの使用を開始すると、主炎口部にてバーナボディから供給されたガスを燃焼させて被加熱物を加熱している最中に被加熱物内の調理物等の煮汁等が煮こぼれしたりする現象が生じた際に、煮こぼれ汁は被加熱物の側面或いは直接的にバーナキャップの上面に落ちる。この煮こぼれした煮こぼれ汁は、バーナキャップの上面を流れる。この流れは、凸部から凸部に比して底面になる凹部へと流れるので凹部が流れの流路の役目を果たし、凹部がバーナキャップの外周側に傾斜して構成されているのでバーナキャップの外周壁方向へと流れ、流路となる凹部間に設けた炎口Dと炎口Eで構成した点火炎口部は流路の延長線上に存在しないので煮こぼれ汁にて詰まることがない。従って、被加熱物から煮こぼれした煮汁が炎口Dと炎口Eへ直接的に煮こぼれしない限り炎口Dと炎口Eが詰まる現象が生じないので、炎口Dと炎口Eの詰まりによって使用時に衝突火炎が消火してしまうことによる熱電素子の非加熱状態が生じることがないので、立ち消え安全装置がガスの供給を遮断する作動がない。よって、安定した安全な使い勝手の良好なガスコンロが提供できるのである。
【００２７】
また、炎口Dと炎口Eが詰まる現象が生じないので炎口面積が減少することがないので炎口負荷が大きくなることで生じる燃焼時の衝突火炎の吹き飛び現象、吹き消え現象等が生じないので安定した燃焼状態が維持される。よって、バーナキャップの外方に設けた熱電素子の炎口Dと炎口Eへのガス供給異常が生じることなく、正常現象が維持されるので安定した安全な使い勝手の良好なガスコンロが提供できるのである。
【００２８】
第４の発明は、点火炎口部を形成する炎口Ｂおよび炎口Ｃ、熱電素子加熱部を形成する炎口D及び炎口Eは、一端を他端面より突出させて形成した炎口面に平面部を設けると共に、バーナキャップの外周壁面に沿って相対向する火炎を形成するようにしたことを特徴とするものである。
【００２９】
これにより、炎口面に平面部を設けた炎口Ｂ及び炎口Ｃで点火炎口部を構成し、炎口面に平面部を設けた炎口D及び炎口Eで熱電素子加熱部を構成しているために、噴出するガスの流れ方向が規制されるので平行部に沿ってガスをバーナキャップの外周の接線方向に噴出する。従って、両炎口から噴出して得られた衝突火炎は衝突点がバーナキャップの外周近傍に存在するので、衝突点とバーナキャップ外周壁間に負圧領域が形成され、コアンダ効果でより安定した点火衝突火炎及び衝突火炎が得られる。よって、正常現象が維持されるので安定した安全な使い勝手の良好なガスコンロが提供できるのである。
【００３０】
また、プレス加工時、平面部を金型に当てて、バラツキの少ないスリット巾寸法を有する炎口Ｂと炎口Ｃが得られる。
【００３１】
第５の発明は、点火炎口部を形成する炎口Ｂと炎口Ｃの間に、炎口Ｂおよび炎口Ｃの噴出方向とは異なる方向に混合ガスを噴出する炎口Fを設け、或いは、熱電素子加熱部を形成する炎口Dと炎口Eの間に、炎口Dおよび炎口Eの噴出方向とは異なる方向に混合ガスを噴出する炎口Gを設け、両炎口F及び炎口Gのどちらかまたは両方設けたことを特徴とするものである。
【００３２】
これにより、バーナキャップの外周壁に沿って形成される点火衝突火炎及び衝突火炎の略中間部にバーナキャップの外周壁から外方に向かって火炎が形成されて燃焼することになるため、点火炎口部及び熱電素子加熱部における全体のガス量が多くなり各火炎ボリュウムが大きくなり、より点火が確実になると同時に、より熱電素子の加熱が確実になると同時に、点火電極或いは放電ターゲット或いは、熱電素子等の位置が組み立てバラツキで多少位置ズレしても、多いいガス量が確保されるので安定した性能が得られる。
【００３３】
また、ガスコンロ使用時にコンロバ−ナに供給されているガスの供給圧力が低下して燃焼量が変化して各部のガス量が少なくなっても、炎口B及び炎口C及び炎口Fからガスが噴出しているので炎口B及び炎口Cのみからのガス噴出量に比較してガス量が多く噴出し、また、炎口D及び炎口E及び炎口Gからガスが噴出しているので炎口D及び炎口Eのみからのガス噴出量に比較してガス量が多く噴出している状態からの変化であるために放電空間部に可燃範囲内のガス量が確保することができるので、ガスコンロが点火しなかったり、立ち消え安全装置が作動したりすることがないので使用できないということがなく安心して使用できる。
【００３４】
以下、本発明の実施の形態について、図面を参照しながら説明する。なお、本実施例の形態によって本発明が限定されるものではない。
【００３５】
（実施の形態１）
図１は、本発明の第１の実施の形態におけるガスコンロの燃焼部の断面図を示し、図２は本発明の燃焼部を搭載したガスコンロを示すものである。図３は燃焼部の上面図、図４は燃焼部の炎口Aの拡大断面図、図５は点火部の炎口Bと炎口Cの配置概念図を示すものである。
【００３６】
また、図６は熱電素子加熱部の炎口Dと炎口Eの配置概念図。図７は点火部及び熱電素子加熱部の炎口断面図を示すものである。
【００３７】
図において、１はガスコンロでコンロバーナ２を有し、コンロバーナ２は、上面に開口を設けた環状頭部を有し供給されるガスと燃焼用空気を混合するバーナボディ３と、このバーナボディ３に嵌合搭載されるバーナキャップ４で構成され、該バーナキャップ４は、ステンレス材等でプレス加工し、ガスシール部は中央の二次空気通過孔５の円筒部６、外周の円筒部７の２ヶ所で構成されている。バーナボディ３にはバーナキャップ４が載置されて二次空気通過孔５が構成されている。また、バーナキャップ４の上面側に凹部８と凸部９をバーナキャップ４の中心に向けて放射状に交互に配置構成した。凹部８はバーナキャップ４の中央からバーナキャップ４外周方向に傾斜し凹部８の凹量はバーナキャップ４の外周ほど大きく構成してバーナキャップ４の外周壁１０で最大量に構成した。凸部９に一端を他端面より上方に突出させた断面形状を有する炎口A１１を中心側に向かって放射状に配設して主炎口部１２を形成しており、炎口A１１の形状は、一端１３を他端面１４より上方に突出させた形状でプレス加工にて炎口スリット巾１５を形成し、炎口スリット巾１５のガス噴き出しが斜め上方を向くようにしたものである。主火炎１６が円周に沿って斜め上方に流れることにより旋回流が起こり、バーナキャップ４の中央の二次空気通過孔５より二次空気を吸引して供給する。炎口A１１部は主火炎１６が斜め上向きとなることにより、円周方向へ噴き出す力と、排気熱が上方向からさらに被加熱物１７底を伝って排出される力により旋回流が生じて、中央二次空気通過孔５よりより多くの二次空気を吸引する。バーナキャップ４の外方１８に被覆体１９が設けられてバーナキャップ４の外周壁１０との構成で主炎口部１２の外方１８に開口Ａ２０と外方１８の下方に開口Ｂ２１を有した放電空間部２２を構成し、放電空間部２２に点火電極２３を設けて点火電極２３に対応した放電空間部２２の上方２４に位置する部分で放電空間部２２に面する表面の被覆体１９に放電空間部２２に対して凸状の放電ターゲット２５を構成し、点火電極２３と放電ターゲット２５間の放電空間部２２と対向するバーナキャップ４の外周壁１０には一端２６を他端面２７より突出させた断面を有する炎口B２８と炎口C２９を対向させて配置した点火炎口部３０を形成し、バーナボディ３より供給される混合ガスを噴出して衝突流れを形成すると共に、点火炎口部３０の略中間部に放電空間部２２を配設した点火部２５が構成されてガスコンロ１の燃焼部２５が構成されている。３１は立ち消え安全装置の熱電素子で、熱電素子３１と対向するバーナキャップ４の外周壁１０には一端３２を他端面３
３より突出させた断面を有する炎口D３４と炎口E３５を対向させて配置した熱電素子加熱部３６を形成し、バーナボディ３より供給される混合ガスを噴出して衝突流れを形成すると共に、熱電素子加熱部３６の略中間部に熱電素子３１が構成されてガスコンロ１の燃焼部２５が構成されている。ガスコンロ１の上面３７に載置したゴトク３８に被加熱物１７が載せられてガスコンロ１として使用される。３９は点火炎口部３０の放電空間部２２に炎口B２８と炎口C２９で形成された点火衝突火炎である。４０はバーナ外周壁１０に構成した炎口D３４と炎口E３５からのガスの噴出による衝突流によって形成した立ち消え安全装置の燃焼の有無を検知する熱電素子３１を加熱する衝突火炎である。
【００３８】
これにより、バーナボディ３の環状頭部に着脱自在に取り付けられるバーナキャップ４の上面に凹部８と凸部９を設けた凸部９に一端１３を他端面１４より上方に突出させた断面形状を有する炎口Ａ１１を中心側に向かって放射状に配設して主炎口部１２を形成し、炎口Ａ１１間の凹部８を中心側に比して凹量を大きくして外周壁１０側に傾斜させたバーナキャップ４で構成したガスコンロバーナ２をガスコンロ１に搭載していることにより、このガスコンロ１の使用を開始すると、主炎口部１２にてバーナボディ３から供給されたガスを燃焼させて被加熱物１７を加熱している最中に被加熱物１７内の調理物等の煮汁等が煮こぼれしたりする現象が生じた際に、煮こぼれ汁は被加熱物１７の側面或いは直接的にバーナキャップ４の上面に落ちる。この煮こぼれした煮こぼれ汁は、バーナキャップ４の上面を流れる。この流れは、凸部８から凸部９に比して底面になる凹部８へと流れるので凹部８が流れの流路の役目を果たし、凹部８がバーナキャップ４の外周側１０に傾斜して構成されているのでバーナキャップ４の外周へと流れる。従って、被加熱物１７から煮こぼれした煮汁が炎口へ直接的に煮こぼれしない限り炎口Ａ１１が詰まる現象が生じないので、炎口Ａ１１の詰まりによる燃焼時の炎口負荷が大きくなることで生じる燃焼時の燃焼炎の吹き飛び現象、吹き消え現象等が生じないので安定した燃焼状態が維持される。よって、バーナキャップ４外方に設けた点火電極部２３への点火時のガス供給、或いは、同位置に設けた立ち消え安全装置の熱電素子３１加熱用の燃焼に異常が生じることなく、正常現象が維持される。さらに、凸部９に炎口Ａ１１を設けて炎口Ａ１１の両側に凹部８を設けて構成したことで凹部８が被加熱物１７等からの煮こぼれに対しての流路となり、煮こぼれ案内の効果をもたらすと同時に外側に傾斜していることで煮こぼれがガスコンロバーナ２の上面の開口からガスコンロ１内への流入するのを防止するので安定した安全な使い勝手の良好なガスコンロ１が提供できるのである。
【００３９】
これにより、ガスコンロ１の操作部が点火操作されるとコンロバーナ２のバーナキャップ４の炎口A１１を炎口スリット巾１５で構成したから、炎口A１１からのガスの噴出は斜め上方を向くようになる。この斜め上方噴出したガスが円周に沿って斜め上方に流れることにより旋回流が起こる。同時に、炎口A１１からのガスは斜め上方に速度を有しているために、旋回流の一部はバーナキャップ４の外方１８の部分で旋回流によって生じている遠心力にてバーナキャップ４の外径よりも外側にはみ出して旋回している。従って、バーナキャップ４の外径よりも外側にはみ出して旋回している旋回流の一部は、バーナキャップ４の外周壁１０と被覆体１９で構成した放電空間部２２に開口Ａ２０から流れ込む状態で旋回している。併せて、炎口B２８から反時計方向にガスが噴出され、炎口C２９からは時計方向にガスが噴出されて放電空間部２２で衝突流れになって共存する。このような旋回流と衝突流れが共存し生じている状態で点火電極２３から放電ターゲット２５に向けて放電すると確実に点火されて、炎口B２８と炎口C２９によって形成された点火衝突火炎３９を点火源として主炎口部１２は主火炎１６から噴出したガスが燃焼を開始する。燃焼は中央の二次空気通過孔５より二次空気の吸引して供給することにより、最適な良好燃焼が得られる。
【００４０】
また、炎口B２８と炎口C２９と炎口D３４と炎口E３５からガスをバーナキャップ４の外周壁１０の接線方向で両方が衝突する方向に噴出する。従って、両炎口から噴出して得ら
れた点火衝突火炎３９及び、衝突火炎４０は衝突点をバーナキャップ４の外周壁１０近傍に形成するので、衝突点とバーナキャップ４外周壁間に負圧領域が形成されるのでコアンダ効果生じてより安定した点火衝突火炎３９及び衝突火炎４０が得られるのでより安定した点火及び燃焼が得られる。
【００４１】
また、主炎口部１２は主火炎１６が斜め上向きとなることにより、円周方向へ噴き出す力と、排気熱が上方向からさらに被加熱物１７の底を伝って排出される力により旋回流が生じて、中央の二次空気通過孔５よりより多くの二次空気を吸引することができ良好な燃焼を得ることができる。従って、旋回燃焼にて被加熱物１７を加熱すると、燃焼ガスは旋回流によって強制的に攪拌される現象が生じるので乱流状態になる。この乱流状態の燃焼ガスが被加熱物１７表面を流れるので被加熱物１７の表面と燃焼ガス間に生じる温度境界層が薄くなることで被加熱物１７と燃焼ガス間の熱伝達係数が大きくなる。よって、被加熱物１７に燃焼ガスから伝わる熱量が多くなる。以上のコンロバーナ２を搭載したガスコンロ１にあっては、熱効率の高い省エネのガスコンロ１が提供できるのである。また、攪拌によって良好な燃焼が得られているので、被加熱物１７底とコンロバーナ２間距離を近づけることができ省エネ・熱効率を向上させることができる。
【００４２】
また、点火電極２３は放電空間部２２を構成した被覆体１９にて上方を覆われているために、被加熱物１７等から調理中に煮汁等が飛散したりこぼれたりしても、濡れたり或いは汚れたりすることがなくなるので、電気的なリークが生じることなく確実に放電するので確実な点火による使い勝手の良いガスコンロ１が提供できるのである。
【００４３】
また、点火されるまでは放電空間部２２にガスの一部が流入しているが点火と同時に炎口A１１に形成される燃焼炎の燃焼速度或いは燃焼用空気量との関係で主火炎１６はバーナキャップ４の外方１８にはみ出す現象はないので点火衝突火炎３９と衝突火炎４０と炎口A１１に形成された主火炎１６が干渉することがないので、燃焼時に燃焼用の空気不足等がないので良好な燃焼が得られので燃焼熱のロスも少ない安全で経済的なガスコンロ１が提供できる。
【００４４】
また、上記点火構成により点火されてバーナキャップ４の上面に旋回状の主火炎１２を形成する形態のコンロバーナ２において、バーナキャップ４の外周壁１０適所には一端３２を他端面３３より突出させた断面を有する炎口D３４と炎口E３５を対向させて配置した熱電素子加熱部３６を形成し、バーナボディ３より供給される混合ガスを噴出して衝突火炎４０を形成すると共に、熱電素子加熱部３６の略中間部に立ち消え安全装置の熱電素子３１を配設したことにより、炎口D３４からバーナキャップ４の外周の円周方向にガスが噴出し、炎口E３４からは炎口D３４から噴出したガスとは反対方向の円周方向に噴出する。従って、炎口D３４から噴出したガスと炎口E３５から噴出したガスは、炎口D３４と炎口E３５間の略中間部で衝突した流れ状態になる。よって、炎口D３４と炎口E３５にて燃焼が開始されると燃焼時に形成される加熱炎３２は炎口D３４と炎口E３５間に衝突火炎４０を形成する。
【００４５】
同時に炎口A１１にて旋回流を呈して燃焼が継続されてコンロバーナ２周辺には二次空気の旋回流が生じているために、衝突火炎４０も旋回流の中に形成されているために吹き飛ばされるように旋回流が作用するが、炎口D３４からのガスが炎口E３５からの噴出方向とは逆方向に噴出されているために旋回流に対向した流れで旋回流の力と均衡状態になることで衝突火炎４０は吹き飛ばされることなく安定した燃焼を継続することで、立ち消え安全装置の熱電素子３１は安定して衝突火炎４０で加熱されることとなる。従って、使用中に立ち消えしたりする不具合が生じない使い勝手の良好なガスコンロ１が提供できるものである。
【００４６】
以上のように、本実施の形態におけるガスコンロは、バーナキャップ４の上面側に全ての炎口A１１を設けた構成において安定した着火性能を確保することができる点火構成を
提供するものである。
【００４７】
（実施の形態２）
実施の形態１で示した図を用いて、本発明の第２の実施形態の点火構成を説明する。
尚、実施の形態１と同様の機能及び作用するものには同一番号を附し説明は省略する。
【００４８】
図において、点火電極２３に対向したバーナキャップの外周壁１０でバーナキャップ４の凹部８間に一端２６を他端面２７より突出させた断面を有する炎口B２８と炎口C２９を対向させて配置して点火炎口部３０を構成したことを特徴とするものである。
【００４９】
これにより、バーナボディ３の環状頭部に着脱自在に取り付けられるバーナキャップ４の上面に凹部８と凸部９を設けた凸部９に一端２６を他端面２７より上方に突出させた断面形状を有する炎口Ａ１１を中心側に向かって放射状に配設して主炎口部１２を形成し、炎口Ａ１１間の凹部８間に相当するバーナキャップ４の外周壁１０に炎口B２８と炎口C２９で構成した点火炎口部３０構成したガスコンロバーナ２をガスコンロ１に搭載していることにより、このガスコンロ１の使用を開始すると、主炎口部１２にてバーナボディ３から供給されたガスを燃焼させて被加熱物１７を加熱している最中に被加熱物１７内の調理物等の煮汁等が煮こぼれしたりする現象が生じた際に、煮こぼれ汁は被加熱物１７の側面或いは直接的にバーナキャップ４の上面に落ちる。この煮こぼれした煮こぼれ汁は、バーナキャップ４の上面を流れる。この流れは、凸部８から凸部９に比して底面になる凹部８へと流れるので凹部８が流れの流路の役目を果たし、凹部８がバーナキャップ４の外周側に傾斜して構成されているのでバーナキャップ４の外周壁１０方向へと流れ、流路となる凹部８間に設けた炎口B２８と炎口C２９で構成した点火炎口部３０は流路の延長線上に存在しないので煮こぼれ汁にて詰まることがない。従って、被加熱物１７から煮こぼれした煮汁が炎口B２８と炎口C２９へ直接的に煮こぼれしない限り炎口B２８と炎口C２９が詰まる現象が生じないので、炎口B２８と炎口C２９の詰まりによって点火時に放電空間部２２にガスの存在がないことによる点火不良が生じることがない。よって、安定した安全な使い勝手の良好なガスコンロ１が提供できるのである。
【００５０】
また、炎口B２８と炎口C２９が詰まる現象が生じないので炎口面積が減少することがないので炎口負荷が大きくなることで生じる燃焼時の燃焼炎の吹き飛び現象、吹き消え現象等が生じないので安定した燃焼状態が維持される。よって、バーナキャップ４の外方１８に設けた放電空間部２２への点火時のガス供給異常が生じることなく、正常現象が維持されるので安定した安全な使い勝手の良好なガスコンロ１が提供できるのである。
【００５１】
（実施の形態３）
実施の形態１で示した図を用いて、本発明の第３の実施形態の立ち消え安全装置の熱電素子と燃焼状態を説明する。尚、他の実施の形態と同様の機能及び作用するものには同一番号を附し説明は省略する。
【００５２】
図において、熱電素子３１に対向したバーナキャップ４の外周壁でバーナキャップ４の凹部８間に一端３２を他端面３３より突出させた断面を有する炎口D３４と炎口E３５を対向させて配置した熱電素子加熱部３６を形成したことを特徴とするものである。
【００５３】
これにより、バーナボディ３の環状頭部に着脱自在に取り付けられるバーナキャップ４の上面に凹部８凸部９を設けた凸部９に一端１３を他端面１４より上方に突出させた断面形状を有する炎口Ａ１１を中心側に向かって放射状に配設して主炎口部１２を形成し、炎口Ａ１１間の凹部間に相当するバーナキャップ４の外周壁に炎口D３４と炎口E３５で構成
した熱電素子加熱部３６構成したガスコンロバーナ２をガスコンロ１に搭載していることにより、このガスコンロ１の使用を開始すると、主炎口部１２にてバーナボディ３から供給されたガスを燃焼させて被加熱物を加熱している最中に被加熱物１７内の調理物等の煮汁等が煮こぼれしたりする現象が生じた際に、煮こぼれ汁は被加熱物１７の側面或いは直接的にバーナキャップ４の上面に落ちる。この煮こぼれした煮こぼれ汁は、バーナキャップ４の上面を流れる。この流れは、凸９部から凸部９に比して底面になる凹部８へと流れるので凹部８が流れの流路の役目を果たし、凹部８がバーナキャップ４の外周側に傾斜して構成されているのでバーナキャップ４の外周壁１０方向へと流れ、流路となる凹部８間に設けた炎口D３４と炎口E３５で構成した点火炎口部３０は流路の延長線上に存在しないので煮こぼれ汁にて詰まることがない。従って、被加熱物１７から煮こぼれした煮汁が炎口D３４と炎口E３５へ直接的に煮こぼれしない限り炎口D３４と炎口E３５が詰まる現象が生じないので、炎口D３４と炎口E３５の詰まりによって使用時に衝突火炎４０が消火してしまうことによる熱電素子３１の非加熱状態が生じることがないので、立ち消え安全装置がガスの供給を遮断する作動がない。よって、安定した安全な使い勝手の良好なガスコンロ１が提供できるのである。
【００５４】
また、炎口D３４と炎口E３５が詰まる現象が生じないので炎口面積が減少することがないので炎口負荷が大きくなることで生じる燃焼時の衝突火炎の吹き飛び現象、吹き消え現象等が生じないので安定した燃焼状態が維持される。よって、バーナキャップ４の外方１８に設けた熱電素子の炎口D３４と炎口E３５へのガス供給異常が生じることなく、正常現象が維持されるので安定した安全な使い勝手の良好なガスコンロ１が提供できるのである。
【００５５】
（実施の形態４）
図８は本発明の第４の実施形態の炎口Ｂおよび炎口Ｃと炎口D及び炎口E点火構成を説明する。
尚、他の実施の形態と同様の機能及び作用するものには同一番号を附し説明は省略する。
【００５６】
図において、点火炎口部３０を形成する炎口Ｂ２８および炎口Ｃ２９、熱電素子加熱部３６を形成する炎口D３４及び炎口E３５は、一端１３を他端面１４より突出させて形成した炎口A11面に平面部４１を設けると共に、バーナキャップ４の外周壁１０面に沿って相対向する火炎を形成するようにしたことを特徴とするものである。
【００５７】
これにより、炎口A１１面に平面部を設けた炎口Ｂ２８及び炎口Ｃ２９で点火炎口部３０を構成し、炎口A11面に平面部４１を設けた炎口D３４及び炎口E３５で熱電素子加熱部３６を構成しているために、噴出するガスの流れ方向が規制されるので平行部に沿ってガスをバーナキャップ４の外周の接線方向に噴出する。従って、両炎口から噴出して得られた点火衝突火炎３９と衝突火炎４０は衝突点がバーナキャップ４の外周近傍に存在するので、衝突点とバーナキャップ４外周壁１０間に負圧領域が形成され、コアンダ効果でより安定した点火衝突火炎３９及び衝突火炎４０が得られる。よって、正常現象が維持されるので安定した安全な使い勝手の良好なガスコンロ１が提供できるのである。
【００５８】
また、プレス加工時、平面部を金型に当てて、バラツキの少ないスリット巾寸法を有する炎口Ｂ２８と炎口Ｃ２９及び炎口D３４と炎口E３５が得られる。
【００５９】
（実施の形態５）
図９及び図１０は本発明の第５の実施の形態の炎口F及び炎口Gの断面形状を示す。
尚、実施の形態１と同等の機能及び作用するものには同一番号を附し説明は省略する。
【００６０】
図において、点火炎口部３０を形成する炎口Ｂ２８と炎口Ｃ２９の間に、炎口Ｂ２８お
よび炎口Ｃ２９の噴出方向とは異なる方向に混合ガスを噴出する炎口F４２を設け、或いは、熱電素子加熱部３６を形成する炎口D３４と炎口E３５の間に、炎口D３４および炎口E３５の噴出方向とは異なる方向に混合ガスを噴出する炎口G４３を設け、両炎口F４２及び炎口G４３のどちらかまたは両方設けたことを特徴とするものである。
【００６１】
これにより、バーナキャップ４の外周壁１０に沿って形成される点火衝突火炎３９及び衝突火炎４０の略中間部にバーナキャップ４の外周壁１０から外方に向かって火炎が形成されて燃焼することになるため、点火炎口部３０及び熱電素子加熱部３６における全体のガス量が多くなり各火炎ボリュウムが大きくなり、より点火が確実になると同時に、より熱電素子３１の加熱が確実になると同時に、点火電極２３或いは放電ターゲット２５或いは、熱電素子３１等の位置が組み立てバラツキで多少位置ズレしても、多いいガス量が確保されるので安定した性能が得られる。
【００６２】
また、ガスコンロ１使用時にコンロバ−ナ２に供給されているガスの供給圧力が低下して燃焼量が変化して各部のガス量が少なくなっても、炎口B２８及び炎口C２９及び炎口F４２からガスが噴出しているので炎口B２８及び炎口C２９のみからのガス噴出量に比較してガス量が多く噴出し、また、炎口D３４及び炎口E３５及び炎口G４３からガスが噴出しているので炎口D３４及び炎口E３５のみからのガス噴出量に比較してガス量が多く噴出している状態からの変化であるために放電空間部に可燃範囲内のガス量が確保することができるので、ガスコンロ１が点火しなかったり、立ち消え安全装置が作動したりすることがないので使用できないということがなく安心して使用できる。
【産業上の利用可能性】
【００６３】
以上のように、本発明にかかるガスコンロは、確実な点火と良好な燃焼が得られるとともに、安定した立消え検知性能で、安全な使い勝手の良い調理器等の用途にも適用できる。
【図面の簡単な説明】
【００６４】
【図１】本発明の実施形態１におけるガスコンロの燃焼部の断面図
【図２】同コンロバーナを搭載したガスコンロ外観図
【図３】同コンロの燃焼部の上面図
【図４】同コンロの炎口Aの拡大断面図
【図５】同コンロの炎口Aと炎口B・Cの配置概念図
【図６】同コンロの炎口Aと炎口D・Eの配置概念図
【図７】同コンロの炎口B・Dと炎口C・Eの配置断面図
【図８】本発明の実施の形態４における炎口B・Dと炎口C・Eの配置断面図
【図９】本発明の実施の形態５における炎口Fの配置概念図
【図１０】本発明の実施の形態５における炎口Gの配置概念図
【図１１】従来のコンロバーナの側面断面図
【図１２】従来の他のコンロバーナの側面断面図
【符号の説明】
【００６５】
１  ガスコンロ
２  コンロバーナ
３  バーナボディ
４  バーナキャップ
１１  炎口Ａ
１２  主炎口部
１０  外周壁
１６  主火炎
１７  被加熱物
１９  被覆体
２３  点火炎口部
２３  点火電極
２４  上方
２８  炎口Ｂ
２９  炎口Ｃ
３４  炎口D
３５  炎口E
３１  熱電素子
４１  平面部
４２  炎口F
４３  炎口G
【図１】
2007139309.tif 000003
【図２】
2007139309.tif 000004
【図３】
2007139309.tif 000005
【図４】
2007139309.tif 000006
【図５】
2007139309.tif 000007
【図６】
2007139309.tif 000008
【図７】
2007139309.tif 000009
【図８】
2007139309.tif 000010
【図９】
2007139309.tif 000011
【図１０】
2007139309.tif 000012
【図１１】
2007139309.tif 000013
【図１２】
2007139309.tif 000014